(57)【要約】      （修正有） 【課題】携帯電話の呼出音を電話本体又は電話本体から離れた任意の部位から出力するようにして、騒音の中でも呼出音を確認できるようにした携帯電話である。【解決手段】携帯電話に設けた内部呼出スピーカ（ブザー）１０と制御部とジャック１１ａとからなる呼出音スピーカ回路と、前記制御部と止具１２を具えた外部呼出スピーカ（ブザー）１０ａとリード線１４とプラグ１１ｂとで形成した外部リード用端子切替機構とからなり、前記ジャック１１ａに、前記呼出音スピーカ回路の外部リード用端子切替機構を付加してなるものである。【選択図】図２
0003112092.tif 000002
【実用新案登録請求の範囲】
【請求項１】
携帯電話（１）に設けた制御部（５）と内部呼出スピーカ（ブザー）（１０）とジャック（１１ａ）とからなる呼出音スピーカ回路（５）と、前記ジャック（１１ａ）に抜き差し可能に接続するプラグ（１１ｂ）とリード線（１４）と止具（１２）を具えた外部呼出スピーカ（ブザー）（１０ａ）とで形成した外部リード用端子切替機構（７）とからなり、
前記ジャック（１１ａ）に、呼出音スピーカ回路の外部リード用端子切替機構（７）を付加してなる携帯電話。
【考案の詳細な説明】
【技術分野】
【０００１】
本考案は、携帯電話の本体に付加した外部呼出スピーカ（ブザー）から任意の部位に呼出音を出力するようにした携帯電話に関するものである。
【背景技術】
【０００２】
携帯電話を携帯する場合、男性の洋服はポケットを複数有してあり、しかも洋服が体に密着していないので電話を身に付けて持ち運ぶことは可能である。また、携帯電話をカバンに入れて持ち運ぶことも多い。他方、女性の洋服はポケットが少ないため、携帯電話を手で持って外出することがあっても洋服のポケットに入れて持ち運ぶことは少ない。また、女性の洋服は体に密着しているため、ポケットに携帯電話を入れて持ち運んだりすると、せっかく作った洋服のデザインやシルエットが崩れてしまう。その上、女性は外出する際には、ハンドバックや袋物などを所持しているため、そのハンドバック等の内部に携帯電話を入れて持ち運ぶことが多かった。
【０００３】
カバンおよびハンドバック等の中や洋服のポケットの中に携帯電話を収容して持ち運んでいる場合に、騒音の中において携帯電話の着信音、即ち、呼出音が鳴っても周囲の騒音に紛れてしまい、その呼出音を聞きとることができないことがある。そのため、大切な用談を逃したり、待ち合わせ時間に間に合わないような場合が生じても緊急に連絡を取る事ができないという場合があった。
【０００４】
他方、ハンズフリー用のスピーカ及びマイクを具えたプラグを、電話本体に設けたジャックに接続する形式の携帯電話は種々存在しているが、本考案とは明らかに相違するものである。
【特許文献１】特開２０００−１２４９８３号公報
【特許文献２】特開２００２−２７８３９６号公報
【考案の開示】
【考案が解決しようとする課題】
【０００５】
携帯電話をカバンやハンドバック等の中または身に付けた状態で騒音の中にいる場合には、携帯電話の呼出音が鳴っても騒音に紛れてしまってその呼出音を確認することができないことがある。そのため、携帯電話の機能を発揮することが出来ないという問題点を有していた。しかし、電話本体から離れた任意の部位に配したスピーカ（ブザー）から呼出音を出力できるようにした携帯電話は見当らなかった。
【０００６】
本考案は、携帯電話の呼出音を電話本体又は電話本体から離れた任意の部位から出力できるように、必要に応じて回路を切り替えて身近な任意の部位に外部呼出スピーカ（ブザー）を取外可能に取り付け、騒音の中でも呼出音を確認することのできる携帯電話を提供するものである。
【課題を解決するための手段】
【０００７】
上記課題を解決するために、本考案は、携帯電話１に設けた制御部５と内部呼出スピーカ（ブザー）１０とジャック１１ａとからなる呼出音スピーカ回路６と、前記ジャック１１ａに抜き差し可能に接続するプラグ１１ｂとリード線（１４）と止具１２を具えた外部呼出スピーカ（ブザー）１０ａとで形成した外部リード用端子切替機構７とからなり、前記ジャック１１ａに、前記呼出音スピーカ回路の外部リード用端子切替機構７を付加してなることを特徴とするものである。
【０００８】
スピーカ回路を制御する制御部５と内部呼出スピーカ（ブザー）１０とジャック１１ａとで呼出音スピーカ回路６を形成してある。ジャック１１ａは携帯電話の本体２に設けてあり、該ジャック１１ａにプラグ１１ｂを抜き差し可能に接続すると呼出音スピーカ回路６が切り替わるようになっている。従って、既存の内部呼出スピーカ１０からの呼出音はＯＦＦになる。
【０００９】
止具１２を具えた外部呼出スピーカ（ブザー）１０ａとリード線１４とプラグ１１ｂとにより外部リード用端子切替機構７を形成してある。プラグ１１ｂを前記ジャック１１ａに接続すると呼出音スピーカ回路６が切り替わり、該プラグ１１ａに接続した外部リード用端子切替機構７に設けてある外部呼出スピーカ（ブザー）１０ａから呼出音を出力する。この場合、該外部呼出スピーカ（ブザー）１０ａを、電話本体１から離れた任意の部位に取外可能に取り付けてあれば、電話から離れた任意の部位から呼出音を出力することができる。
【００１０】
外部呼出スピーカ（ブザー）１０ａは、カバンやハンドバックなどの外側または洋服の襟元など身近な部位に取外可能に取り付けることにより、騒音の中でも呼出音を確実に確認することができる。
【考案の効果】
【００１１】
本考案は、携帯電話の呼出音を必要に応じて本体に設けてある既存の内部呼出スピーカ（ブザー）１０から出力させないで、本体２から離れた任意の部位、例えば身近な洋服の襟元又はカバンやハンドバック等の外側に、リード線１４を引き延して取外可能に取り付けた外部呼出スピーカ（ブザー）１０ａから出力させるようにしたため、混雑した人ごみの中でも呼出音を的確に確認することができる。
【考案を実施するための最良の形態】
【００１２】
本考案の実施の形態を図面に基づいて説明すると、図１は携帯電話の本体に枢動可能に設けた蓋体を開いた状態の斜視図、図２は外部呼出スピーカ（ブザー）を有したプラグを抜き差し可能に接続する状態の携帯電話の背面図、図３は呼出音の切替状態を示す説明図である。携帯電話の本体２内に設けた呼出音スピーカ回路に接続した制御部５は、既設の内部呼出スピーカ（ブザー）１０、または、新設の外部呼出スピーカ（ブザー）１０ａを作動させるものである。そして、この制御部５は切替機能を具えたジャック１１ｂを介して内部呼出スピーカ（ブザー）１０と接続して呼出音スピーカ回路（以下、回路という）６を形成してある。また、本体２と蓋体３とからなる携帯電話１は、一般に使用されているものであり、本実施例では蓋体３を備えているが、蓋体３を有しない形式の携帯電話でも良いことはもちろんである。
【００１３】
蓋体３の内側上部には受話口３ａ、本体２の内側下部には通話口２ａ、本体の裏面中央部には呼出音を出力する既存の内部呼出スピーカ（ブザー）１０をそれぞれ設けてある。２ｂは本体２の背面に設けた呼出開口窓で、内部呼出スピーカ（ブザー）からの呼出音を本体外に出力するためのものである。
【００１４】
携帯電話１の本体２には、図示しないが、例えば、ハンズフリー用の外部マイク及び外部スピーカなどを具えたプラグを着脱可能に接続するための通信・受信用ジャック１６を一般的に備えている。本考案のジャック１１ａは、前記と同様な切替機能を有するものであるが、機能を全く異にするものである。
【００１５】
図３において、プラグ１１ｂがジャック１１ａに接続していない状態、即ち、前記回路６がＯＮの場合には、呼出信号を受信すると制御部５が作動して回路６に接続した内部呼出スピーカ（ブザー）１０から呼出音が出力し、本体２の裏面に設けた呼出開口窓２ｂから本体外に出力する。
【００１６】
ジャック１１に抜き差し可能に接続するプラグ１１ｂと、リード線１４と、止具１２を具えた外部呼出スピーカ（ブザー）１０ａとで外部リード用端子切替機構（以下、切替機構という）７を構成してある。そして、この切替機構（７）に設けたプラグ１１ｂをジャック１１ａに接続させると前記回路６は切り替わり、該切替機構７に設けた外部呼出スピーカ（ブザー）１０ａから呼出音が出力する。この外部呼出スピーカ（ブザー）１０ａは、ハンドバックやカバンなどの外面または洋服の襟元など身近な部位に取外可能に取り付けてあれば、騒音の中でも呼出音は騒音中に紛れることなくを確実に確認することができる。
【００１７】
前記切替機構７を構成する外部呼出スピーカ（ブザー）１０ａを具えたプラグ１１ｂに接続させるためのジャック１１ａは、携帯電話の本体２、例えば本体の側面部分に設けた状態が図示してあるが、この部分に限るものではない。
【００１８】
図４は、ハンドバック等の内部に乱雑に収容した携帯電話１からリード線１４を引き延して、その外側に外部呼出スピーカ（ブザー）１０ａを取外可能に取り付けてあれば、呼出信号を受信した場合に、身近な部位に該外部呼出スピーカ（ブザー）を配すると、呼出音が身近な部位で鳴るため、で騒音の中においても呼出音を確認することができる。図中、１８はライター、本などの小物である。
【００１９】
この場合、リード線１４にリード線巻取装置（図示せず）を具えてあれば、余分なリード線を巻き取って整理できるので、カバン内が煩雑にならず取り扱いが容易になるが、リード線巻取装置は必ずしも必要ではない。また、止具１２としてはクリップやピン等を用いるので取り付け、取外しが容易であり、好みの部位に簡単に取外可能に装着することができる。
【００２０】
外部呼出スピーカ（ブザー）１０ａを使用しない場合には、プラグ１１ｂを携帯電話１のジャック１１ａから外しておけば、従来と同じ携帯電話と同様に、既設の内部呼出スピーカ（ブザー）１０から呼出音が出力する。その場合、ジャック１１ｂは穴を開口しているため、通常は、ゴムまたはプラスチックなどのキャップ１７で塞いで、塵芥の侵入を防いでいる。また通信・受信用ジャック１６も同様にキャップ１７ａで塞いである。
【図面の簡単な説明】
【００２１】
【図１】携帯電話の本体に枢動可能に設けた蓋体を開いた状態の斜視図である。
【図２】外部呼出スピーカ（ブザー）を具えたプラグを抜き差し可能に接続する状態を示した携帯電話の背面図である。
【図３】呼出音の切替状態を示す説明図である。
【図４】携帯電話をハンドバック内に収容し、外部呼出スピーカ（ブザー）をハンドバックの側面上部に止着した状態を示す説明図である。
【図５】図４に示したハンドバックの側面部の一部を示した説明図である。
【符号の説明】
【００２２】
１      携帯電話
２      本体
２ａ    通話口
２ｂ    呼出開口窓
３      蓋体
３ａ    受話口
５      制御部
６      呼出音スピーカ回路
７      外部リード用端子切替機構
１０      内部呼出スピーカ（ブザー）
１０ａ    外部呼出スピーカ（ブザー）
１１ａ    ジャック
１１ｂ    プラグ
１２      止具
１４      リード線
１７      キャップ
１７ａ    キャップ
１８      小物
【図１】
0003112092.tif 000003
【図２】
0003112092.tif 000004
【図３】
0003112092.tif 000005
【図４】
0003112092.tif 000006
【図５】
0003112092.tif 000007
【手続補正書】
【提出日】平成17年4月20日(2005.4.20)
【手続補正１】
【補正対象書類名】実用新案登録請求の範囲
【補正対象項目名】全文
【補正方法】変更
【補正の内容】
【実用新案登録請求の範囲】
【請求項１】
携帯電話（１）に設けた制御部（５）と内部呼出スピーカ（１０）とジャック（１１ａ）とからなる呼出音スピーカ回路（５）と、前記ジャック（１１ａ）に抜き差し可能に接続するプラグ（１１ｂ）とリード線（１４）と止具（１２）を具えた外部呼出スピーカ（１０ａ）とで形成した外部リード用端子切替機構（７）とからなり、
前記ジャック（１１ａ）に、呼出音スピーカ回路の外部リード用端子切替機構（７）を付加してなる携帯電話。
【手続補正２】
【補正対象書類名】明細書
【補正対象項目名】０００７
【補正方法】変更
【補正の内容】
【０００７】
上記課題を解決するために、本考案は、携帯電話１に設けた制御部５と内部呼出スピーカ１０とジャック１１ａとからなる呼出音スピーカ回路６と、前記ジャック１１ａに抜き差し可能に接続するプラグ１１ｂとリード線１４と止具１２を具えた外部呼出スピーカ１０ａとで形成した外部リード用端子切替機構７とからなり、前記ジャック１１ａに、前記呼出音スピーカ回路の外部リード用端子切替機構７を付加してなることを特徴とするものである。
【手続補正３】
【補正対象書類名】明細書
【補正対象項目名】０００８
【補正方法】変更
【補正の内容】
【０００８】
スピーカ回路を制御する制御部５と内部呼出スピーカ１０とジャック１１ａとで呼出音スピーカ回路６を形成してある。ジャック１１ａは携帯電話の本体２に設けてあり、該ジャック１１ａにプラグ１１ｂを抜き差し可能に接続すると呼出音スピーカ回路６が切り替わるようになっている。従って、既存の内部呼出スピーカ１０からの呼出音はＯＦＦになる。
【手続補正４】
【補正対象書類名】明細書
【補正対象項目名】０００９
【補正方法】変更
【補正の内容】
【０００９】
止具１２を具えた外部呼出スピーカ１０ａとリード線１４とプラグ１１ｂとにより外部リード用端子切替機構７を形成してある。プラグ１１ｂを前記ジャック１１ａに接続すると呼出音スピーカ回路６が切り替わり、該プラグ１１ａに接続した外部リード用端子切替機構７に設けてある外部呼出スピーカ１０ａから呼出音を出力する。この場合、該外部呼出スピーカ１０ａを、電話本体１から離れた任意の部位に取外可能に取り付けてあれば、電話から離れた任意の部位から呼出音を出力することができる。
【手続補正５】
【補正対象書類名】明細書
【補正対象項目名】００１０
【補正方法】変更
【補正の内容】
【００１０】
外部呼出スピーカ１０ａは、カバンやハンドバックなどの外側または洋服の襟元など身近な部位に取外可能に取り付けることにより、騒音の中でも呼出音を確実に確認することができる。